(57)【特許請求の範囲】
【請求項１】
いずれか一方には第１の識別情報が記載された２片の面部が重合されるとともに、これら２片の面部の少なくとも外縁部の一部が固定され、これら２片の面部の間に略矩形状であるカードを保持可能となっており、
前記２片の面部のいずれか一方には、前記カードに記載された第２の識別情報を視認可能な窓部と、前記第２識別情報が前記窓部から視認できるように該カードの移動を規制する規制部と、が設けられており、
前記窓部は、該窓部から前記カードにおける一の角部が露出するように形成されており、
前記窓部を備える面部には、当該面部を一部切断可能とするミシン目が前記窓部から露出する前記カードにおける一の角部と辺により連続する二の角部を取り囲むように形成されており、
前記窓部と前記ミシン目とにより開放部が構成されていることを特徴とするカード台紙。
【請求項２】
前記窓部には、略矩形状である前記カードの４辺のうち角部で交わる２辺の側面の一部にそれぞれ当接可能な第１規制部を有し、前記窓部を備える面部には、前記第１規制部に当接可能な２辺とは対角の２辺の側面の一部に当接可能な第２規制部と、を備えることを特徴とする請求項１に記載のカード台紙。
【請求項３】
前記窓部は、１つの角部に突出片を有する略矩形状に形成され、前記突出片に前記カードの角部が載置可能となっており、前記突出片と接する２辺の側面が前記第１規制部として機能するようになっていることを特徴とする請求項２に記載のカード台紙。
【請求項４】
前記第１規制部及び第２規制部を備える面部には、前記第１規制部及び第２規制部に規制される前記カードの角部とは異なる該カードの角部で交わる２辺の側面の一部にそれぞれ当接可能な第３規制部を有することを特徴とする請求項２または３に記載のカード台紙。
【請求項５】
前記第１の識別情報は、前記窓部を備える面部に記載されていることを特徴とする請求項１ないし４のいずれかに記載のカード台紙。
【発明の詳細な説明】
【技術分野】
【０００１】
本発明は、カードを保持するカード台紙に関する。
【背景技術】
【０００２】
近年、店舗等の代金の決済にプリペイドカード（以下、カードという。）を用いるシステムが実用化されている。カードは、包装用のカード台紙に保持されて店内に陳列されるのが一般的であり、従来のカード台紙としては、例えば特許文献１に示されるように、１枚の台紙が折り曲げられ、その内側にカードを挟んだ状態で両側の台紙同士が貼着されるような構成となっており、カード表面の傷防止の効果を有している。カード台紙には第１の識別情報が記載されており、カードにはカード台紙の第１の識別情報に対応づけられた第２の識別情報が記載されている。
【先行技術文献】
【特許文献】
【０００３】
【特許文献１】特開２０１２−７６３２１号公報（第９頁、第４図）
【発明の概要】
【発明が解決しようとする課題】
【０００４】
上述したようなカード台紙は、カードが露出していないことからカード表面の傷防止の効果を有しているものの、カードをカード台紙内に内包した後では、カードに記載された第２の識別情報及びカード台紙に記載された第１の識別情報を外見上確認することができないため、検品作業において、カード台紙に記載された第１の識別情報とカードに記載された第２の識別情報との整合性を納品前に再度チェックすることができないという問題があった。
【０００５】
本発明は、このような問題点に着目してなされたもので、カード台紙に記載された第１の識別情報とカードに記載された第２の識別情報との整合性を確認できるカード台紙を提供することを目的とする。
【課題を解決するための手段】
【０００６】
前記課題を解決するために、本発明のカード台紙は、
いずれか一方には第１の識別情報が記載された２片の面部が重合されるとともに、これら２片の面部の少なくとも外縁部の一部が固定され、これら２片の面部の間に略矩形状であるカードを保持可能となっており、
前記２片の面部のいずれか一方には、前記カードに記載された第２の識別情報を視認可能な窓部と、前記第２識別情報が前記窓部から視認できるように該カードの移動を規制する規制部と、が設けられており、
前記窓部は、該窓部から前記カードにおける一の角部が露出するように形成されており、
前記窓部を備える面部には、当該面部を一部切断可能とするミシン目が前記窓部から露出する前記カードにおける一の角部と辺により連続する二の角部を取り囲むように形成されており、
前記窓部と前記ミシン目とにより開放部が構成されていることを特徴としている。
この特徴によれば、カードが２片の面部の間に保持されてカード表面の傷を防止する効果を有しながら、窓部からカードに記載の第２の識別情報を視認できることから、カード台紙に記載の第１の識別情報との整合性を確認することができる。また、カードの移動が規制部により規制されるため、窓部内に第２の識別情報を位置させ、確実に第１の識別情報と第２の識別情報との整合性を確認することができる。
【０００７】
前記窓部には、略矩形状である前記カードの４辺のうち角部で交わる２辺の側面の一部にそれぞれ当接可能な第１規制部を有し、前記窓部を備える面部には、前記第１規制部に当接可能な２辺とは対角の２辺の側面の一部に当接可能な第２規制部と、を備えることを特徴としている。
この特徴によれば、第１規制部と第２規制部とに、カードの対角する角部のそれぞれ２辺が当接してカード台紙内でのカードの回動及び上下左右の移動が効果的に規制され、窓部内にカードに記載の第２の識別情報を安定的に位置させることができ、確実に第１の識別情報と第２の識別情報との整合性を確認することができる。
【０００８】
前記窓部は、１つの角部に突出片を有する略矩形状に形成され、前記突出片に前記カードの角部が載置可能となっており、前記突出片と接する２辺の側面が前記第１規制部として機能するようになっていることを特徴としている。
この特徴によれば、カードの角部が突出片の上に載置されることで、カードの角部のそれぞれ２辺の側面の一部が第１規制部と交差して当接することになり、確実にカード台紙内でのカードの回動及び上下左右の移動を規制できる。
【００１０】
前記第１の識別情報は、前記窓部を備える面部に記載されていることを特徴としている。
この特徴によれば、同じ面部側から第１の識別情報と第２の識別情報とを視認できるため、整合性を確認し易い。
【００１１】
前記第１規制部及び第２規制部を備える面部には、前記第１規制部及び第２規制部に規制される前記カードの角部とは異なる該カードの角部で交わる２辺の側面の一部にそれぞれ当接可能な第３規制部を有することを特徴としている。
この特徴によれば、カード台紙内でのカードの回動及び上下左右の移動が確実に規制され、窓部内にカードに記載の第２の識別情報を安定的に位置させることができる。
【図面の簡単な説明】
【００１２】
【図１】実施例におけるカード台紙を示す図である。
【図２】カード台紙の分解斜視図である。
【図３】カード台紙によりカードが保持された状態を示す斜視図である。
【図４】第１規制部とカードとの関係を示す図である。
【図５】ミシン目の切断が開始された様子を示す図である。
【図６】ミシン目の終端まで切断が行われた状態を示す図である。
【図７】開放部が開放された状態を示す図である。
【発明を実施するための形態】
【００１３】
本発明に係るカード台紙を実施するための形態を実施例に基づいて以下に説明する。
【実施例】
【００１４】
実施例に係るカード台紙につき、図１から図７を参照して説明する。
【００１５】
図１及び図２に示されるように、カード台紙１は、第１の識別情報５が記載された面部を構成する第１台紙部材２と、第１台紙部材２と重合された第２台紙部材３とが外縁部を接着されて略長方形に形成されており、これら第１台紙部材２と第２台紙部材３との間に略長方形のカードＣを保持可能となっている。第１の識別情報５は、その上に記載されたＰＯＳコード５０と関連付けられている。
【００１６】
カード台紙１内に保持されるカードＣに記載された第２の識別情報６は、カード台紙１に記載された第１の識別情報５と対応付けられている。
【００１７】
第１台紙部材２には、カードＣに記載された第２の識別情報６を視認可能な窓部７が形成されている。窓部７は、１つの角部に突出片８を有する略矩形状に切り欠かれて形成されており、図３に示されるように、突出片８と接する２辺７ａ，７ｂの側面（図４参照）が、略矩形状であるカードＣの角部１０Ｂで交わる２辺１１ａ，１１ｂの側面の一部（図示略）にそれぞれ当接可能である第１規制部１５として機能するようになっている。
【００１８】
また第１台紙部材２には、スリット状の第２規制部１６が形成されており、第１規制部１５に規制されるカードＣの角部１０Ｂとは対角の角部１０Ｃで交わる２辺１１ｃ，１１ｄの側面（図示略）の一部に第２規制部１６の両端部１６ａ，１６ｂがそれぞれ当接可能となっている。第２規制部１６にカードＣの角部１０Ｃが差し込まれることにより、カードＣは、対角位置の第１規制部１５及び第２規制部１６にて、カード台紙１内での回動及び上下左右の移動が効果的に規制され、窓部７内にカードに記載の第２の識別情報６を常時安定的に位置させることができるようになっている。
【００１９】
また、図１に示されるように、第１台紙部材２の短手方向における第２規制部１６の端部１６ａと端部１６ｂとの距離が、カードＣの磁気部分２０が露出しない寸法となっているため、カード情報の読み取りに用いられる磁気部分２０への傷を効果的に防止できるようになっている。尚、前記第２規制部１６の端部１６ａと端部１６ｂとの距離は、カードＣの磁気部分２０が大きく露出しない距離であれば、図で示した距離よりも大きく形成されていてもよい。
【００２０】
また、第１台紙部材２には、スリット状の第３規制部１７が形成されている。第３規制部１７は、第１規制部１５及び第２規制部１６に規制されるカードＣの角部１０Ｂ，１０Ｃとは異なる該カードＣの角部１０Ｄで交わる２辺１１ｂ，１１ｃの側面（図示せず）の一部に第３規制部１７の両端部１７ａ，１７ｂがそれぞれ当接可能となっており、カードＣの角部１０Ｄが差し込まれることにより、第１規制部１５及び第２規制部１６を補助する形でカードＣの回動及び上下左右の移動を規制できるようになっている。
【００２１】
図３に示されるように、第１台紙部材２の短手方向において第２規制部１６と第３規制部１７の対称位置に位置する端部１６ａ，１７ａ間が、カードＣの短手方向の寸法と略同長に離間しており、かつ第１台紙部材２の長手方向側に位置する第２規制部１６と第３規制部１７の端部１６ｂ，１７ｂと、窓部７の第１規制部１５を構成する辺７ａとの垂直方向の距離がカードＣの長手方向の寸法と略同長となっており、カードＣが回動及び上下左右の移動した際の移動許容範囲が、カードＣに記載された第２の識別情報６が窓部７内に常に位置するように規制されるようになっている。尚、カードＣに記載された第２の識別情報６が窓部７内に常に位置するように規制されさえすれば、カード第２規制部１６と第３規制部１７の対称位置に位置する端部１６ａ，１７ａ間の寸法は、カードＣの短手方向の寸法より若干長く形成されていてもよいし、第３規制部１７の端部１６ｂ，１７ｂと、窓部７の第１規制部１５を構成する辺７ａとの垂直方向の距離がカードＣの長手方向の寸法より若干長く形成されていてもよい。
【００２２】
図４に示されるように、第１規制部１５は、突出片８が略矩形状の窓部７の角部から突出して形成されており、カードＣの角部１０Ｂ側が突出片８の上に載置されることで、カードＣの角部１０Ｂのそれぞれ２辺１１ａ，１１ｂの側面の一部が第１規制部１５を構成する２辺７ａ，７ｂ側面７０ａ，７０ｂと交差して当接することになり、確実にカード台紙１内でのカードＣの回動及び上下左右の移動が規制されるようになっている。
【００２３】
上記したように、カードＣが第１台紙部材２と第２台紙部材３との間に保持されてカードＣ表面の傷を防止する効果を有しながら、窓部７からカードＣに記載の第２の識別情報６を視認できることから、カード台紙１に記載の第１の識別情報５との整合性を確認することができる。また、規制部（第１規制部１５，第２規制部１６，第３規制部１７）により第２の識別情報６を窓部７内に視認可能な状態で安定的に位置させることができ、確実に第１の識別情報５と第２の識別情報６との整合性を確認することができる。
【００２４】
また、窓部７を有する第１台紙部材２に第１の識別情報５が記載されていることから、第１の識別情報５と第２の識別情報６とを同時に視認でき、それらの整合性を確認し易くなっている。
【００２５】
図５から図７に示されるように、第１規制部１５，第２規制部１６及び第３規制部１７に規制されるカードＣの角部１０Ｂ，１０Ｃ，１０Ｄ以外の角部１０Ａの位置には、カードＣを取り出すことができる開放部３０を構成するミシン目１８が形成されている。ミシン目１８は、カードＣの角部１０Ａで交わる２辺１１ａ，１１ｄに沿うようにミシン目１９Ａとミシン目１９Ｂにより略直角に形成されている。一方のミシン目１９Ａの終端部１８ａは、窓部７の長手方向の辺７ｂの一方端部７ｃと略同じ位置まで形成され、他方のミシン目１９Ｂは、その終端部１８ｂが窓部７に向かって、窓部７の短手方向の辺７ａ近傍まで伸びている。更に、これらミシン目１９Ａとミシン目１９Ｂとが交わる部分には、第１台紙部材２に予め切り抜かれて形成された把持部１８ｃが設けられており、ミシン目１８の切断の起点となっている。
【００２６】
図７に示されるように、開放部３０は、ミシン目１８と窓部７とから主に構成されている。図５に示されるように、カードＣの取り出しのために開放部３０を開放する際には、前述の把持部１８ｃを起点としてミシン目１９Ａ，１９Ｂがほぼ同時に切断されていく。ミシン目１９Ｂはその終端部１８ｂが窓部７の辺７ａ近傍まで伸びているため、終端部１８ｂまで切断した後（図６参照）に更に把持部１８ｃを引くことで、図７に示されるように、ミシン目１９Ｂの終端１８ｂと窓部７と交わるように第１台紙部材２におけるこれらの間の部分２ａが破断されることになる。
【００２７】
このように、窓部７が開放部３０を一部構成することで、ミシン目１９ＢをカードＣの短手方向の寸法よりも短く形成され、第１台紙部材２の切断時における切断量を少なくしても、カードＣの取り出しを容易に行うことができる。更に、ミシン目１９Ａは窓部７の長手方向の辺７ｂの一方端部７ｃと略同じ位置まで形成されていることから、ミシン目１９Ａを切断することで、窓部７の辺７ｂの一方端部７ｃまで大きく開放部３０を解放でき、カードＣが取り出し易くなっている。
【００２８】
また、ミシン目１８の把持部１８ｃに交差するように切込３１が形成されており、この切込３１を山折りに折り曲げることで把持部１８ｃの先端を持ち易くなっている。
【００２９】
以上、本発明の実施例を図面により説明してきたが、具体的な構成はこれら実施例に限られるものではなく、本発明の要旨を逸脱しない範囲における変更や追加があっても本発明に含まれる。
【００３０】
例えば、前記実施例において規制部（第１規制部１５，第２規制部１６，第３規制部１７）は、カードＣの側面が当接することでカードＣの回動及び上下左右の移動を規制する構成で説明したが、カードＣの回動及び上下左右の移動を規制できる構成であればこれに限られず、例えば、第１台紙部材２または第２台紙部材３に両面テープ等で固定されていてもよい。
【００３１】
また、第１規制部１５と窓部７とを別々に設け、窓部と別途に設けた第１規制部１５の構造を第２規制部１６及び第３規制部１７と同一の構造としてもよい。
【００３２】
また、カードＣにおける対角の角部１０Ｂ，１０Ｃが第１規制部１５と第２規制部１６とにより回動及び上下左右の移動が効果的に規制されるため、第３規制部１７を省略することもできる。更に、カードＣの回動及び上下左右の移動を規制できる構成であれば、例えば、第１台紙部材２と第２台紙部材３とが接着された縁部及び第１規制部１５を規制部として機能させる等することで、第３規制部１７に加えて第２規制部１６も省略することができる。
【００３３】
また、前記実施例において第１の識別情報５と第２の識別情報６とは、同一の数字で表現されているが、検品作業者等により、これら第１の識別情報５と第２の識別情報６との対応関係が確認できればこの態様に限られず、例えばそれぞれ別の記号、数字、記号等であってもよい。更に、ＰＯＳコード５０に第１の識別情報としての機能を持たせることで、別途記載される第１の識別手段を省略してもよい。尚、第１の識別情報５は、第２台紙部材３に記載されていてもよい。
【００３４】
また、カードＣの取り出しが可能であれば、開放部３０が窓部７を含まないようにそれぞれ別々に設けられていてもよいし、ミシン目１８の形状も前記実施例の形状に限られない。
【００３５】
また、カード台紙に保持されるカードの形状は、矩形状に限らないため、カード台紙にはカードの形状に対応する位置に規制部及び窓部を有する構成に適宜設計されることが好ましい。更に、カード台紙の形状も矩形状に限られないことはいうまでもない。
【００３６】
また、前記実施例においてカード台紙１は、それぞれ別体の第１台紙部材２と第２台紙部材３とを重合させて構成されているが、これに限らず、例えば１枚の台紙部材を折り畳み、これら２片の面部同士を重合させて構成されてもよい。
【符号の説明】
【００３７】
１                カード台紙
２                第１台紙部材（面部）
３                第２台紙部材（面部）
５                第１の識別情報
６                第２の識別情報
７                窓部
７ａ，７ｂ        窓部の辺
７ｃ              辺の一方端部
８                突出片
１０Ａ，１０Ｂ    カード角部
１０Ｃ，１０Ｄ    カード角部
１１ａ，１１ｂ    カード辺
１１ｃ，１１ｄ    カード辺
１５              第１規制部
１６              第２規制部
１６ａ，１６ｂ    第２規制部端部
１７              第３規制部
１８              ミシン目
１８ｃ            把持部
２０              磁気部分
３０              開放部
Ｃ                カード
５０              ＰＯＳコード
【図１】
0006552888.tif 000002
【図２】
0006552888.tif 000003
【図３】
0006552888.tif 000004
【図４】
0006552888.tif 000005
【図５】
0006552888.tif 000006
【図６】
0006552888.tif 000007
【図７】
0006552888.tif 000008